(57)【要約】【課題】台紙裏面の利用可能スペースを狭めることなく、ブリスターと台紙とを確実に固定し、陳列用のステーへの陳列作業を容易にしたブリスターパックを提供する。【解決手段】吊り下げ展示用の吊り下げ孔１１，２１が台紙２０とブリスター１０に開設されたブリスターパック１において、前記吊り下げ孔１１，２１の内周面のほぼ全体を、台紙２０とブリスター１０を固定するための筒状部３１や固定用の折り曲げ片３５で覆う。これらの筒状部３０や折り曲げ片３５は、例えばブリスター１０の前面に折り返すように台紙２０の上端に延設した舌状片２２に設けられる。【選択図】図１
2008056329.tif 000002
【特許請求の範囲】
【請求項１】
互いに連通するように吊り下げ孔がそれぞれ開設されたブリスター及び台紙を有するブリスターパックにおいて、
台紙の上端に突出させて設けられた舌状片に当該舌状片をブリスター前面に位置させた際に前記吊り下げ孔に対応する開口が開設されると共に前記吊り下げ孔に挿入され、その先端若しくはその先端近傍にブリスターと台紙を固定する固定機構が備えられた断面が前記吊り下げ孔とほぼ同一形状である筒状部が前記開口に設けられたことを特徴とするブリスターパック。
【請求項２】
互いに連通するように吊り下げ孔がそれぞれ開設されたブリスター及び台紙を有するブリスターパックにおいて、
台紙の上端に突出されて設けられた舌状片に当該舌状片をブリスター前面に位置させた際に前記吊り下げ孔に対応する開口が開設されると共にブリスター及び台紙の両吊り下げ孔の内周面をほぼ覆う固定用の折り曲げ片が前記開口に備えられたことを特徴とするブリスターパック。
【請求項３】
互いに連通するように吊り下げ孔がそれぞれ開設されたブリスター及び台紙を有するブリスターパックにおいて、
ブリスターの吊り下げ孔に台紙の吊り下げ孔に挿入される断面が前記吊り下げ孔とほぼ同一形状である筒状部が形成され、当該筒状部の先端若しくはその先端近傍にブリスターと台紙を固定する固定機構が備えられたことを特徴とするブリスターパック。
【請求項４】
互いに連通するように吊り下げ孔がそれぞれ開設されたブリスター及び台紙を有するブリスターパックにおいて、
ブリスターの吊り下げ孔に台紙の吊り下げ孔の内周面をほぼ覆う固定用の折り曲げ片が備えられたことを特徴とするブリスターパック。
【発明の詳細な説明】
【技術分野】
【０００１】
本発明は、ブリスターパック、より具体的には、ブリスターと台紙を固定する固定方法に関する。
【背景技術】
【０００２】
商品をほこり等から保護するとともに商品が見えるように展示可能にしたブリスターパックが汎用されている。図１１は、従来のブリスターパック１００の概略的斜視図である。このブリスターパック１００は、商品を収納する凹部１３が形成された透明な合成樹脂製のブリスター１０と、当該ブリスター１０の背面に配置される台紙２０とから構成されている。
【０００３】
ブリスター１０の背面左右両端部には、台紙案内用の折り返し片１２が曲折形成されており、ブリスター１０背面とこの折り返し片１２の隙間に台紙２０が挿入される。そして、ブリスター１０の背面下端には、台紙２０の抜け落ち防止用の折り返し片１４が曲折形成されている。また、ブリスター１０と台紙２０には、吊り下げ展示用の吊り下げ孔１１，２１が互いに連通するように開設されている。
【０００４】
ブリスター１０と台紙２０を固定する方法として、例えば、（１）ステープラーで両者を固定する方法、（２）台紙にスリットや開口を設け、当該スリット等をブリスターに設けた突起片を挿入させて固定する方法（例えば実用新案登録第３０２５３３１号公報、特許第３７６３８３８号公報、特開２００１−３０１８２３号公報、実開平５−８２８５６号公報など）、（３）吊り下げ展示用の孔を利用して、ブリスター又は台紙のいずれか一方に開設された孔に折り曲げ片を備え、この折り曲げ片を他方の孔に通して折り返す方法（例えば、実開昭６２−１６５２６５号公報、実用新案登録第３００４３０６号公報、同第３０８０６８３号公報など）若しくはブリスターの孔に抜け止め用の係合突片を立ち上げ形成し、当該係合突片に台紙を係合させる方法（実開昭６１−９１５５８号公報）などの方法がある。
【０００５】
しかしながら、（１）の方法では、ステープラー等の道具を必要としコストや手間が掛かるという問題点があった。また、（２）の方法では、突起片を挿入するためのスリットや孔を新たに開口しなければならないので、台紙裏面に記載される商品説明のスペースや商品の収納スペースが狭められたり、レイアウトを工夫しなければならなくなったりするなどの問題点があった。また、台紙に吊り下げ用の孔の他にスリットなどを別途加工する必要もあった。そして、（３）の方法では、吊り下げ用の孔を利用しているので、（２）に示すような問題点は生じないが、吊り下げ孔の一部分でしか両者が固定されないので両者が容易にずれてしまうという問題点があった。また、吊り下げ孔の内部には台紙とブリスターの境界が露出し、商品陳列用のステーに吊り下げる際にステー先端がその境界に引っかかり、作業効率の低下を招く、ブリスターと台紙の固定が外れる、そして極端な場合には台紙が破れてしまったりするというおそれがあった。
【０００６】
【特許文献１】実用新案登録第３０２５３３１号公報
【特許文献２】特許第３７６３８３８号公報
【特許文献３】特開２００１−３０１８２３号公報
【特許文献４】実開平５−８２８５６号公報特開
【特許文献５】実開昭６２−１６５２６５号公報
【特許文献６】実用新案登録第３００４３０６号公報
【特許文献７】同第３０８０６８３号公報
【特許文献８】実開昭６１−９１５５８号公報
【発明の開示】
【発明が解決しようとする課題】
【０００７】
本発明は上記の背景技術に鑑みてなされたものであって、その目的は、台紙裏面の利用可能なスペースを狭めることなく、ブリスターと台紙を確実に固定し、陳列用のステーへの陳列作業を容易にすることを目的としている。
【課題を解決するための手段】
【０００８】
そこで、本発明は、第１の手段として、台紙の上端に突出形成した舌状片にその舌状片をブリスターの前面に位置させた際に吊り下げ孔に対応する開口を設けると共に、その開口に前記吊り下げ孔に挿入され、断面が当該吊り下げ孔とほぼ同一形状をした筒状部を設けて、当該筒状部の先端若しくはその先端近傍に設けた固定機構でブリスターと台紙とを固定する方法を提供する。
【０００９】
また、本発明は、第２の手段として、台紙の上端に突出形成した舌状片にその舌状片をブリスターの前面に位置させた際に吊り下げ孔に対応する開口を設けると共に、その開口にブリスター及び台紙の両吊り下げ孔の内周面をほぼ覆う固定用の折り曲げ片を設け、その折り曲げ片を折り曲げることによってブリスターと台紙を固定する方法を提供する。
【００１０】
さらに、本発明は、第３の手段として、ブリスターの吊り下げ孔に台紙の吊り下げ孔に挿入され、断面が当該吊り下げ孔とほぼ同一形状をした筒状部を設けて、当該筒状部の先端若しくはその先端近傍に設けた固定機構でブリスターと台紙を固定する方法を提供し、また、第４の手段として、ブリスターの吊り下げ孔の内周縁に台紙の吊り下げ孔の内周面をほぼ覆う固定用の折り曲げ片を設け、その折り曲げ片を折り曲げることによってブリスターと台紙を固定する方法を提供する。
【発明の効果】
【００１１】
本発明によれば、吊り下げ孔のほぼ内周面が当該吊り下げ孔に挿入された筒状部若しくは折り曲げられた固定用の折り曲げ片によって覆い隠される。このために、商品陳列用のステー先端がブリスターと台紙の境界に引っ掛からなくなり、商品の取り外しを円滑に行える。また、陳列時における台紙の破損が防がれる。
【００１２】
また、吊り下げ孔を利用してブリスターと台紙を固定しているので、台紙背面のスペースが狭められることがなく、従来と同様の説明欄のレイアウトがそのまま使える。
【００１３】
そして、特に第１の手段や第２の手段においては、１枚の台紙が折り曲げられることによってブリスターを挟む構造となるので、より強固にブリスターと台紙が固定され、両者の位置ずれが抑えられる。
【発明を実施するための最良の形態】
【００１４】
本発明のブリスターパックは、吊り下げ展示用の吊り下げ孔がブリスターと台紙に開設されたものであって、当該吊り下げ孔の内周面のほぼ全体をブリスターと台紙を固定するため筒状部や固定用の折り曲げ片で覆うようにしたものである。これらの筒状部や折り曲げ片は、例えば台紙の上端に延設して設けられ、曲げられることによってブリスターの前面に位置される舌状片に設けられる。もっとも、この場合には舌状片には、陳列用のステーを挿通させるための開口が前記吊り下げ孔の位置に対応して設けられる。また、これらの筒状部や折り曲げ片は、舌状片を設けることなくブリスターの吊り下げ孔に直接設けることもできる。
【００１５】
以下、本発明について各実施例に基づいて詳細に説明する。
【実施例１】
【００１６】
図１は本発明の一実施形態であるブリスターパック１の概略斜視図、図２はその一部を破断した拡大斜視図、図３はその使用状態を示す拡大斜視図である。
【００１７】
実施例１に係るブリスターパック１は本発明の第１の手段に対応するものである。台紙２０の上端には舌状片２２が延設されている。この舌状片２２は、折り目が付くことなく曲げられるかあるいは図３に示す如くブリスター１０の縁（上端）に沿って折り曲げられてブリスター１０の前面に位置される。そして、この舌状片２２には、ブリスターの前面に位置した際に、ブリスター１０及び台紙２０に開設された吊り下げ孔１１，２１に対応して、吊り下げ陳列用のステー（図示せず）を挿通させる開口２３が開設されている。開口２３には、前記吊り下げ孔１１，２１に挿入される筒状部３０が設けられている。この筒状部３０の側面には、図示するように、少なくとも１以上（図示するものでは２個）のスリット状の開口（スリット部）３１が設けられている。筒状部３０の外形はほぼ吊り下げ孔１１，２１とほぼ同じ形、ほぼ等しい大きさに設計されており、筒状部３０を吊り下げ孔１１，２１に挿入すれば、前記スリット部３１に吊り下げ孔１１，２１の周縁がはめられ、両者が固定される仕組みとなっている。筒状部３０そのものの形状も図示されたようにその正面形状が円状のものに限定されるものではなく、角張ったものや略凸状のものであっても差し支えない。
【００１８】
ブリスターパック１の使用に際し、舌状片２２は図３に示すようにブリスター１０の縁に沿ってブリスター１０の前方に折り曲げられて、筒状部３０が吊り下げ孔１１，２１に挿入され、ブリスター１０と台紙２０が固定される。両者が固定されたブリスターパック１においては、吊り下げ孔１１，２１の内周面のほとんどは筒状部３０で覆われ、ブリスター１０と台紙２０との境界は筒状部３０でほとんど隠されることになる。従って、ステー先端が引っ掛からなくなり、展示作業がスムーズに行える。また、ステープラー等の道具が不要であるだけでなく、ブリスター１０の前方から固定作業が行えるので商品の梱包作業が煩雑になることもない。そして、ブリスター１０の上端は折り曲げられた舌状片２２によって下方に抑えられるだけでなく、この舌状片２２とによってブリスター１０が挟まれることになるので、ブリスター１０の位置ずれも少なくなる。また、背面側には筒状部３０がわずかに突出するだけであって、背面の商品説明スペースが狭められたり、商品の展示スペースが狭められたりすることもなく、新たにレイアウトを編集することなく従来と同様のレイアウトを使用できる。
【００１９】
図４は別な実施形態であるブリスターパック１を一部破断した拡大斜視図であって、このブリスターパック１も本発明の第１の手段に対応するものである。このブリスターパック１では、筒状部３０の外周面に１カ所以上（図示するものでは２カ所）の爪状の突起部３２が形成されている。舌状片２２が折り曲げられ筒状部３０が吊り下げ孔１１，２１に挿入されると、突起部３２の先端が台紙２０の背面側に飛び出て、突起部３２によって台紙２０がブリスター１０の背面に押しつけられように固定機構が構成されている。このような固定機構を用いて固定することもできる。この実施形態は、上記第１の実施形態とは異なり、筒状部３０にはスリット部３１がなく、吊り下げ孔１１，２１の内周面が完全に覆われる結果、ステー先端の引っ掛かりをすっかり無くすことができる。
【００２０】
図５はさらに別な実施形態であるブリスターパック１の一部を破断した拡大斜視図である。このブリスターパック１の筒状部３０の先端には、その端面から見て放射状に数本の切れ込み３３が設けられ、複数の折り曲げ片３４が形成されている。切れ込み３３によって形成された折り曲げ片３４はブリスター１０と台紙２０を固定するものである。すなわち、筒状部３０を吊り下げ孔１１，１２に挿入し、図６に示すように台紙２０の背面側に飛び出た筒状部３０の先端（折り曲げ片３４）を台紙２０の背面に沿わせるように折り曲げることよってブリスター１０と台紙２０が固定される。このような切れ込み３３を筒状部３０の先端に設けて両者を固定するようにしてもよい。
【実施例２】
【００２１】
図７は本発明のさらに別な実施形態であるブリスターパック１の一部を破断した拡大斜視図である。このブリスターパック１は、本発明の第２の手段に対応するものである。ブリスターパック１の台紙２０には、その上端から舌状片２２が延設されており、当該舌状片２２には折り曲げられた際にブリスター１０及び台紙２０に開設された円形の吊り下げ孔１１，２１に対応して、吊り下げ陳列用のステーを挿通させる円形の開口２３が開設されている。この開口２３には折り曲げ片３５が多数形成されており、この折り曲げ片３５を吊り下げ孔１１，２１に沿って孔の内側に折り曲げ、図６に示す実施形態と同様にして台紙２０の背面に飛び出たその先端を台紙２０の背面に沿わせるとブリスター１０と台紙２０が固定される。こうすることで、図８に示すように吊り下げ孔１１，２１の内周面が折り曲げ片３５によってほぼ覆われる。この折り曲げ片３５は、例えば、開口２３周縁となる位置に折り目を施しておき、開口２３となる領域に図示するような放射状の切れ込み３６を打ち抜き加工することによって形成できる。なお、開口２３が円形であれば、吊り下げ孔１１，２１の内周面を覆う観点からは切れ込み３６の数を多くするのが望ましい。円に限りなく近づけて折り曲げられるからである。そして、台紙２０の背面にて台紙２０とブリスター１０を固定できる限りにおいては、例えば図１０に示すように、その中心に孔３７を設けた放射状の切れ込み３６を打ち抜き加工しても差し支えない。
【００２２】
この切れ込み３６の数や折り曲げ片３５の形状は、開口２３（吊り下げ孔）の形状や大きさに応じて適宜変更される。例えば、矩形の開口２３であれば、開口２３を構成する４つの片がそれぞれ三角形をした折り曲げ片３５を有するように放射状の切れ込み３６を設ければよい。また、凸字状の開口であれば、矩形状の折り曲げ片３５を、開口２３の内周縁に連続して配置することも考えられる。
【００２３】
このような切れ込み３６や折り曲げ片３５を利用することによっても、同様に展示用ステー先端の引っ掛かりをなくすことができる。もっとも、円形の開口２３（吊り下げ孔１１，２１）の場合、折り曲げ片３５や切れ込み３６の数や形状によっては折り曲げ片３５の間にわずかな隙間を生じる場合もあるが、ブリスター１０や台紙２０の紙厚などを考慮すれば生じる隙間は極めて小さいものであり、ステーの挿通に際してほとんど影響を与えるものではない。
【実施例３】
【００２４】
図９はさらに別な実施形態であるブリスターパック１を一部破断した概略斜視図である。このブリスターパック１は、本発明の第３の手段に対応するものである。このブリスターパック１においては、ブリスター１０と台紙２０を固定するための筒状部３０が、ブリスター１０の背面側において吊り下げ孔１１に設けられている。そして、筒状部３０の側面には、ブリスター１０と台紙２０を固定するための少なくとも１以上のスリット状の開口（スリット部３１）が設けられている。筒状部３０の外形は台紙２０のほぼ吊り下げ孔２１とほぼ同じ形、ほぼ等しい大きさに設計されており、筒状部３０を台紙２０の吊り下げ孔２１に挿入すれば、当該スリット部３１に台紙２０の吊り下げ孔２１の周縁がはまり、両者が固定される仕組みとなっている。
【００２５】
このブリスターパック１では、ブリスター１０背面と折り返し片１２の隙間にブリスター１０の下端側から台紙２０を挿入し、筒状部３０を吊り下げ孔２１にはめ込んで、両者を固定する。このように、舌状片２２を設けることなく直接ブリスター１０の吊り下げ孔１１に固定機構が備わった筒状部３０を設けてもよい。もっとも、ブリスター１０と台紙２０の固定機構としては、図４や図５に示したような機構を用いることもできる。なお、ブリスター１０の下端側から台紙２０を挿入するのに都合がよいように、このブリスターパック１はブリスター１０の下端に台紙抜け落ち防止用の折り返し片１４を具備していない。もちろん、ブリスター１０の下端に折り返し片１４を設け、上方から台紙を挿入するようにもできる。
【実施例４】
【００２６】
図１０はさらに別な実施形態であるブリスターパック１の一部を破断した拡大斜視図である。このブリスターパック１は本発明の第４の手段に対応するものである。ブリスター１０の吊り下げ孔１１には折り曲げ片３５が多数形成され、折り曲げられた折り曲げ片３５が吊り下げ孔２１の内周面をほぼ覆うように構成されている。この折り曲げ片３５は、例えば、吊り下げ孔１１の周縁となる位置に折り目を施しておき、吊り下げ孔１１となる領域に図示するような放射状の切れ込み３６を打ち抜き加工することによって設けられる。また、折り曲げ片３５の先端が台紙２０の背面に沿わせることができればよいので、図示するように折り曲げ片３５の先端に孔３７ができるように切れ込み３６が打ち抜き加工されていてもよい。なお、本発明の第２の手段と同様、吊り下げ孔２１の内周面を出来る限り覆えるように、切れ込み３６の数や折り曲げ片３６の形、大きさは吊り下げ孔１１，２１の形状や大きさに応じて適宜変更される。
【００２７】
このブリスターパック１では、台紙２０はブリスター１０の下端側若しくは上端側のいずれの側からでも差し込むことができ、筒状部３０を吊り下げ孔２１に挿入する作業は不要なので、図９に示す実施形態よりも作業性はよい。また、ブリスター１０の下端に台紙抜け落ち防止用の折り返し片１４を備えた場合にも応用できるので、ブリスター１０と台紙２０の位置ずれがより少ないブリスター容器（ブリスターパック）にできる。
【００２８】
このように本発明においては、吊り下げ展示用の吊り下げ孔１１，２１の内周面は、ブリスター１０と台紙２０固定用の筒状部３０若しくは折り曲げ片３５によって覆われることになる。従って、吊り下げ用のステーの先端が引っかからず、展示作業を円滑に行える。また、ステー先端の引っ掛かりによる台紙２０の破損が防止される。
【００２９】
特に、舌状片２２を台紙２０の上端に延設した上で、舌状片２２をブリスター１０の前面に折り返すようにすれば、ブリスター１０と台紙２０との固定はより一層強固なものになる。
【産業上の利用可能性】
【００３０】
本発明によると、ブリスターと台紙のずれが少なく、陳列展示するための展示用ステーへの挿通作業を容易にしたブリスターパックが提供される。
【図面の簡単な説明】
【００３１】
【図１】本発明の一実施形態であるブリスターパックの概略斜視図である。
【図２】同上のブリスターパックの一部を破断した拡大斜視図である。
【図３】同上のブリスターパックの使用状態を示す拡大斜視図である。
【図４】別な実施形態であるブリスターパックを一部破断した拡大斜視図である。
【図５】さらに別な実施形態であるブリスターパックを一部破断した拡大斜視図である。
【図６】同上のブリスターパックの使用状態を示す拡大背面図である。
【図７】さらに別な実施形態であるブリスターパックを一部破断した拡大斜視図である。
【図８】さらに別な実施形態であるブリスターパックを一部破断した拡大斜視図である。
【図９】さらに別な実施形態であるブリスターパックの概略斜視図である。
【図１０】さらに別な実施形態であるブリスターパックを一部破断した拡大斜視図である。
【図１１】従来のブリスターパックの概略斜視図である。
【符号の説明】
【００３２】
１  ブリスターパック
１０  ブリスター
１１  吊り下げ孔
１３  商品収納用の凹部
２０  台紙
２１  吊り下げ孔
２２  舌状片
３０  筒状部
３１  スリット部
３２  突起部
３５  吊り下げ孔を隠す固定用の折り曲げ片
３６  折り曲げ片３５形成用の切れ込み
【図１】
2008056329.tif 000003
【図２】
2008056329.tif 000004
【図３】
2008056329.tif 000005
【図４】
2008056329.tif 000006
【図５】
2008056329.tif 000007
【図６】
2008056329.tif 000008
【図７】
2008056329.tif 000009
【図８】
2008056329.tif 000010
【図９】
2008056329.tif 000011
【図１０】
2008056329.tif 000012
【図１１】
2008056329.tif 000013
【手続補正書】
【提出日】平成18年10月13日(2006.10.13)
【手続補正１】
【補正対象書類名】図面
【補正対象項目名】図９
【補正方法】変更
【補正の内容】
【図９】
2008056329.tif 000014